(57)【特許請求の範囲】
【請求項１】
回線交換ドメインへのハンドオーバーのための方法であって、前記方法は、
ユーザ機器(UE)の複合アタッチ処理中に前記UEに対して回線交換フォールバック(CSFB)および単一無線音声通信継続(SRVCC)の双方を可能とする第1の移動通信交換局(MSC)を選択するステップと、
前記UEが作動中のボイス・オーバー・インターネットプロトコル(VOIP)サービスを有しているときに回線交換(CS)ドメインのロケーションサービスが前記UEに対するSRVCC処理を始動させると、前記SRVCC処理において前記UEに対してCSFBおよびSRVCCの双方を可能とする前記第1のMSCを選択するステップと、
前記CSドメインにハンドオーバーされた後に前記第1のMSCにアクセスして前記CSドメインの前記ロケーションサービスを実施するように前記UEを始動させるステップとを含む、方法。
【請求項２】
回線交換ドメインへのハンドオーバーのための方法であって、前記方法は、
ユーザ機器(UE)が作動中のボイス・オーバー・インターネットプロトコル(VOIP)サービスを有しているときは、国際移動体加入者識別番号(IMSI)デタッチメッセージを前記UEに送信するステップであって、前記IMSIデタッチメッセージが、複合アタッチ処理中に選択された移動通信交換局(MSC)をデタッチするように前記UEに命令し、複合追跡エリア更新処理を実行するように前記UEに命令するように使用される、ステップと、
前記複合追跡エリア更新処理中に前記UEに対して回線交換フォールバック(CSFB)および単一無線音声通信継続(SRVCC)の双方を可能とする第2のMSCを選択するステップと、
前記UEが作動中のVOIPサービスを有しているときに回線交換(CS)ドメインのロケーションサービスが前記UEに対するSRVCC処理を始動させると、前記SRVCC処理において前記UEに対してCSFBおよびSRVCCの双方を可能とする前記第2のMSCを選択するステップと、
前記CSドメインにハンドオーバーされた後に前記第2のMSCにアクセスして前記CSドメインの前記ロケーションサービスを実施するように前記UEを始動させるステップとを含む、方法。
【請求項３】
回線交換ドメインへのハンドオーバーのための装置であって、前記装置は、
ユーザ機器(UE)の複合アタッチ処理中に前記UEに対して回線交換フォールバック(CSFB)および単一無線音声通信継続(SRVCC)の双方を可能とする第1の移動通信交換局(MSC)を選択するように構成される、第1の選択モジュールと、
前記UEが回線交換(CS)ドメインにハンドオーバーされた後に前記第1のMSCにアクセスして前記CSドメインのロケーションサービスを実施することができるように、前記UEが作動中のボイス・オーバー・インターネットプロトコル(VOIP)サービスを有しているときに前記CSドメインの前記ロケーションサービスが前記UEに対するSRVCC処理を始動させると、前記第1の選択モジュールによって選択された前記第1のMSCであって前記SRVCC処理において前記UEに対してCSFBおよびSRVCCの双方を可能とする前記第1のMSCを選択するように構成される、第2の選択モジュールとを備える、装置。
【請求項４】
回線交換ドメインへのハンドオーバーのための装置であって、前記装置は、
ユーザ機器(UE)が作動中のボイス・オーバー・インターネットプロトコル(VOIP)サービスを有しているときは、国際移動体加入者識別番号(IMSI)デタッチメッセージを前記UEに送信し、複合追跡エリア更新処理中に前記UEに対して回線交換フォールバック(CSFB)および単一無線音声通信継続(SRVCC)の双方を可能とする第2の移動通信交換局(MSC)を選択するように構成される第1の選択モジュールであって、前記国際移動体加入者識別番号(IMSI)デタッチメッセージは、複合アタッチ処理中に選択されたMSCをデタッチするように前記UEに命令し、前記複合追跡エリア更新処理を実行するように前記UEに命令するように使用される、第1の選択モジュールと、
前記UEが回線交換(CS)ドメインにハンドオーバーされた後に前記第2のMSCにアクセスして前記CSドメインのロケーションサービスを実施することができるように、前記UEが作動中のVOIPサービスを有しているときに前記CSドメインの前記ロケーションサービスが前記UEに対するSRVCC処理を始動させると、前記第1の選択モジュールによって選択された前記第2のMSCであって前記SRVCC処理において前記UEに対してCSFBおよびSRVCCの双方を可能とする前記第2のMSCを選択するように構成される、第2の選択モジュールとを備える、装置。
【請求項５】
回線交換ドメインへのハンドオーバーのためのシステムであって、前記システムは、ユーザ機器(UE)と、請求項3または4に記載の回線交換ドメインへのハンドオーバーのための前記装置とを備え、
前記UEは、ボイス・オーバー・インターネットプロトコル(VOIP)サービスが作動中のときに回線交換(CS)ドメインのロケーションサービスが単一無線音声通信継続(SRVCC)処理を始動させると、前記CSドメインにハンドオーバーして前記装置によって選択された移動通信交換局(MSC)であって回線交換フォールバック(CSFB)およびSRVCCの双方を可能とするMSCにアクセスして前記CSドメインの前記ロケーションサービスを実施するように構成される、システム。
【請求項６】
コンピュータユニットによって実行される際、前記コンピュータユニットに請求項1または2に記載の方法を実行させるコンピュータプログラムコードを含む、コンピュータプログラム。
【発明の詳細な説明】
【技術分野】
【０００１】
本発明は、通信技術の分野に関し、具体的には、回線交換ドメインへのハンドオーバーのための方法、装置、およびシステムに関する。
【背景技術】
【０００２】
3GPP(3rd Generation Partnership Project、第3世代パートナーシッププロジェクト)標準化団体は、コアネットワーク部がSAE(System Architecture Evolution、システム・アーキテクチャ・エボリューション)ネットワークであり、アクセスネットワーク部がE-UTRAN(Evolved Universal Terrestrial Radio Access Network、進化型ユニバーサル移動体通信システム用地上無線アクセスネットワーク)とも称されるLTE(Long Term Evolution、ロング・ターム・エボリューション)ネットワークである、次世代進化型ネットワークアーキテクチャを現在まとめている。E-UTRANは、eNBs(evolved NodeBs、基地局)によって形成されている。SAEネットワークは、MME(Mobility Management Entity、移動管理エンティティ)と、SAEゲートウェイとの2つの部分によって形成されている。SAEゲートウェイは、サービングゲートウェイ(Serving Gateway)と、PDNゲートウェイ(Packet Data Network Gateway、パケットデータネットワークゲートウェイ)とを備える。MMEは、コアネットワーク部のコントロールプレーンのノードであり、UE(User Equipment、ユーザ機器)のコンテキストおよびユーザプレーンのベアラを管理することを担当している。サービングゲートウェイは、加入者サービスデータの送信を処理し、PDNゲートウェイは、加入者信号データの送信を担当している。
【０００３】
UEがSAE/LTEネットワークのPS(Packet Switched、パケット交換)ドメインにおけるVOIP(Voice over Internet Protocol、ボイス・オーバー・インターネットプロトコル)サービスを実行している場合、CS MT-LR(Mobile Terminated Location Request、モバイル着信ロケーション要求)処理は、CS(Circuit Switched、回線交換)ドメインのロケーションサービスによって始動され、SRVCC(Single Radio Voice Call Continuity、単一無線音声通信継続)処理は、UEをCSドメインに戻すハンドオーバーをするために実行される必要がある。UEがCSドメインに戻すハンドオーバーがなされた後、以前の複合アタッチに対するMSCは、UEにロケーション情報を提供するように通知する。この場合、選択されたMSCがSRVCC機能を有していないと、UEは、CSドメインのロケーションサービスを完結することができない。
【発明の概要】
【課題を解決するための手段】
【０００４】
本発明の実施形態は、継続中のVOIPサービスを有するUEが正しくCSドメインにハンドオーバーされるように、回線交換ドメインへのハンドオーバーのための方法、装置、およびシステムを提供する。その技術的解決方法は、以下のとおりである。
【０００５】
ある態様によれば、回線交換ドメインへのハンドオーバーのための方法であって、
ユーザ機器UEに対して回線交換フォールバックCSFBおよび単一無線音声通信継続SRVCCの双方を可能とする移動通信交換局MSCを選択するステップと、
UEがCSドメインにハンドオーバーされた後にMSCにアクセスしてCSドメインのロケーションサービスを実施することができるように、UEのボイス・オーバー・インターネットプロトコルVOIPサービスが継続中に回線交換CSドメインのロケーションサービスがUEに対するSRVCC処理を始動させると、SRVCC処理においてUEに対してCSFBおよびSRVCCの双方を可能とするMSCを選択するステップとを含む、方法を提供している。
【０００６】
別の態様によれば、回線交換ドメインへのハンドオーバーのための装置であって、
ユーザ機器UEに対して回線交換フォールバックCSFBおよび単一無線音声通信継続SRVCCの双方を可能とする移動通信交換局MSCを選択するように構成される、第1の選択モジュールと、
UEがCSドメインにハンドオーバーされた後にMSCにアクセスしてCSドメインのロケーションサービスを実施することができるように、UEが作動中のボイス・オーバー・インターネットプロトコルVOIPサービスを有しているときに回線交換CSドメインのロケーションサービスがUEに対するSRVCC処理を始動させると、第1の選択モジュールに選択されたMSCであってSRVCC処理においてUEに対してCSFBおよびSRVCCの双方を可能とするMSCを選択するように構成される、第2の選択モジュールとを備える、装置を提供している。
【０００７】
さらに別の態様によれば、回線交換ドメインへのハンドオーバーのためのシステムであって、UEと、回線交換ドメインへのハンドオーバーのための装置とを備え、
UEは、UEがボイス・オーバー・インターネットプロトコルVOIPサービスを使用中に回線交換CSドメインのロケーションサービスが単一無線音声通信継続SRVCC処理を始動させると、CSドメインにハンドオーバーして装置に選択された移動通信交換局MSCであって回線交換フォールバックCSFBおよびSRVCCの双方を可能とする移動通信交換局MSCにアクセスするように構成され、CSドメインのロケーションサービスを実施するように構成される、システムを提供している。
【０００８】
本発明の実施形態によって提供される技術的解決方法の有益な効果を以下に示す。
CSFBおよびSRVCCの双方を可能とするMSCがUEに対して選択され、UEのVOIPサービスが作動中のときにCSドメインのロケーションサービスがUEに対するSRVCC処理を始動させると、CSFBおよびSRVCCの双方を可能とするMSCがSRVCC処理において選択される。このようにして、UEが、CSFBが使用可能なMSCに正しくアクセスして、SRVCC処理が正常に継続することを可能としている一方でCSドメインにおけるロケーションサービスを実施できることを保証しており、それによって、MMEが複合アタッチ中に未サポートのMSCを選択するとUEがCSドメインのロケーションサービスを実施できない、という先行技術の問題を解決している。
【０００９】
本発明の実施形態における技術的解決方法をより明確に記載するために、実施形態を記載するのに必要となる添付の図面を以下に簡単に説明する。明白であると思うが、以下に記載の添付の図面は単にいくつかの本発明の実施形態を示しているに過ぎない、また当業者であれば本願の添付の図面から創造的努力をすることなく他の図面をさらに導き得る。
【図面の簡単な説明】
【００１０】
【図１】図1は、本発明の実施形態によるネットワークアーキテクチャの概略図である。
【図２】図2は、本発明の実施形態による回線交換ドメインへのハンドオーバーのための方法のフローチャートである。
【図３】図3は、別の本発明の実施形態による回線交換ドメインへのハンドオーバーのための方法のフローチャートである。
【図４】図4は、さらに別の本発明の実施形態による複合アタッチ処理の概略図である。
【図５】図5は、さらに別の本発明の実施形態によるロケーションサービスによって始動されるSRVCC処理の概略図である。
【図６】図6は、別の本発明の実施形態による回線交換ドメインへのハンドオーバーのための方法のフローチャートである。
【図７】図7は、さらに別の本発明の実施形態による複合追跡エリア更新処理の概略図である。
【図８】図8は、さらに別の本発明の実施形態による回線交換ドメインへのハンドオーバーのための装置のアーキテクチャ図である。
【図９】図9は、別の本発明の実施形態による回線交換ドメインへのハンドオーバーのためのシステムのアーキテクチャ図である。
【発明を実施するための形態】
【００１１】
本発明の実施形態の目的、技術的解決方法、および利点をより明確にするために、添付の図面を参照して、以下に詳細に本発明の実施形態についてさらに記載する。明白であると思うが、記載した実施形態が本発明の実施形態の全てではなく一部に過ぎない。創造的努力をすることなく本発明の実施形態に基づいて当業者によって得られる他の実施形態の全ては、本発明の実施形態の保護範囲に含まれるものとする。
【００１２】
ここで本発明の実施形態に適用されているネットワークアーキテクチャの概略図である図1を参照する。図1の上部は、2G/3Gネットワークである。2Gアクセスネットワークが、GERAN(GSM EDGE Radio Access Network、GSM-EDGE無線アクセスネットワーク)であり、3Gアクセスネットワークが、UTRAN(UMTS Terrestrial Radio Access Network、UMTS地上波無線アクセスネットワーク)である。MSCなどのデバイスは、2G/3Gネットワークに含まれる。本発明の実施形態において、MSCは、MSCサーバと称されるものであってもよい、ただし記載を簡便にするために、特に明記しない限り、MSCのコンセプトのみを以降の本出願の記載において適用する。2G/3Gネットワークにおいて、音声サービスは、一般的にCSドメインによって処理され、データサービスは、一般的にPSドメインによって処理される。図1の中央部は、SAEネットワークであり、下部は、LTEネットワークである。これらは、SGSN、MME、HSS(Home Subscriber Server、ホーム加入者サーバ)、およびサービング/PDNGWなどのデバイスを含む。SAE/LTEネットワークは、PSドメイン上のパケット交換システムとして機能する。音声サービスは、伝送に関してPSドメインによって処理されることだけはできず、音声サービスは、IPベースのベアラネットワーク上のIMS(IP Multimedia Subsystem、IPマルチメディアサブシステム)によって制御される。UEがPSドメインにある場合は、MMEがUEに対してサービスを提供する。UEがCSドメインにある場合は、MSCがUEに対してサービスを提供する。本発明の実施形態において、CSドメインへのUEのハンドオーバーとは、UEが作動中のVOIPサービスを有しているときにUEがPSドメインからCSドメインへとハンドオーバーされることを意味している。
【００１３】
本発明の実施形態は、CSFB技術にさらに関する。CSFB技術において、UEは、複合アタッチ(Combined Attach)を実行してLTEのPSドメインから2G/3GネットワークのCSドメインへとフォールバックする。複合アタッチ処理において、UEがCSドメインにフォールバックする際にMSCがUEに対してサービスを提供することができるように、MMEは、UEに対するMSCを選択する。
【００１４】
図2を参照すれば、回線交換ドメインへのハンドオーバーのための方法が、本発明の実施形態によって提供される。方法は、以下のステップを含む。
【００１５】
201:ユーザ機器UEに対して回線交換フォールバックCSFBおよび単一無線音声通信継続SRVCCの双方を可能とする移動通信交換局MSCを選択する。
【００１６】
202:UEがCSドメインにハンドオーバーされた後にMSCにアクセスしてCSドメインのロケーションサービスを実施することができるように、UEが作動中のボイス・オーバー・インターネットプロトコルVOIPサービスを有しているときに回線交換CSドメインのロケーションサービスがUEに対するSRVCC処理を始動させると、SRVCC処理においてUEに対してCSFBおよびSRVCCの双方を可能とするMSCを選択する。
【００１７】
本実施形態による前述の方法は、MMEによって実行されてもよい。
【００１８】
本実施形態によって提供される前述の方法において、CSFBおよびSRVCCの双方を可能とするMSCが、UEに対して選択され、UEのVOIPサービスが作動中のときにCSドメインのロケーションサービスがUEに対するSRVCC処理を始動させると、CSFBおよびSRVCCの双方を可能とするMSCが、SRVCC処理において選択される。このようにして、SRVCC処理が正常に継続することを可能としている一方でUEがCSFBを可能とするMSCに正しくアクセスできることを保証しており、それによって、MMEが複合アタッチ中に未サポートのMSCを選択するとUEがCSドメインのロケーションサービスを実施できない、という先行技術の問題を解決している。
【００１９】
図3を参照すれば、回線交換ドメインへのハンドオーバーのための方法が、別の本発明の実施形態において提供される。以下の記載は、CSFBおよびSRVCCの双方を可能とするMSCが複合アタッチ処理中にMMEによって選択されるという一例に基づいている。方法は、特に以下のステップを含む。
【００２０】
301:UEの複合アタッチ処理において、MMEが、UEに対してCSFBおよびSRVCCの双方を可能とする第1のMSCを選択する。
【００２１】
一般的に、UEの電源が入ると、UEは、複合アタッチ処理を実行する。複合アタッチ処理において、UEがCSドメインにハンドオーバーされ、MSCがUEに対してサービスを提供することができるように、UEは、まずPSドメインのMMEにアタッチされ、MMEは、UEに対するMSCを選択し、更新ロケーション要求をMSCに送信する。UEがMMEにアタッチされるとともにMSCにアタッチされる処理が、複合アタッチ処理である。本実施形態において、以降のSRVCC処理が実行される際にUEが正しくCSドメインにハンドオーバーされ得るように、MMEは、UEに対してCSFBおよびSRVCCの双方を可能とする第1のMSCを選択する。
【００２２】
302:UEがCSドメインにハンドオーバーされた後に第1のMSCにアクセスしてCSドメインのロケーションサービスを実施することができるように、UEのVOIPサービスが継続中にCSドメインのロケーションサービスがUEに対するSRVCC処理を始動させると、MMEは、SRVCC処理において第1のMSCを選択する。
【００２３】
VOIPサービスは、PSドメインにおけるUEのサービスのである。CSドメインのロケーションサービスは、CSドメインにおけるUEのロケーションサービスによって始動されるCSドメインモバイル着信ロケーションサービスCS MT-LRである。例えば、UEが被呼者となりCSドメインから呼を受信する場合、MSCは、CSドメインにおいてUEにページングを行い、UEにそのロケーション情報を提供するように要求する。
【００２４】
CSドメインのロケーションサービスはSRVCC処理を始動し、SRVCC処理によって、UEはPSドメインからCSドメインへとハンドオーバーされ得る。本処理において、UEがCSドメインにハンドオーバーされた後にMSCがUEに対してサービスを提供することができるように、MMEは、UEに対するMSCを選択する。本実施形態において、MMEは、SRVCC処理において、複合アタッチ処理中に選択されたMSCと同一のMSCを選択する。MSCがCSFBおよびSRVCCの双方を可能としているので、UEが正しくCSドメインにハンドオーバーされ得ることを保証している。UEが第1のMSCにアクセスし終わると、UEが既にCSドメインにハンドオーバーされ、その際、MSCがUEに対してサービスを提供し得ることを意味している。
【００２５】
ここで図4を参照する。本実施形態において、ステップ301における複合アタッチ処理は、特に以下のステップを含んでいてもよい。
【００２６】
401:UEが、複合アタッチ要求メッセージをMMEに送信して複合アタッチを実行することを要求する。ここで、メッセージは複合アタッチの代表的な指示を含む。
【００２７】
402:複合アタッチ要求メッセージを受信した後、MMEが、UEに対してCSFBおよびSRVCCの双方を可能とするMSCを選択する。
【００２８】
403:MMEが、ロケーション更新要求メッセージを選択されたMSCに送信してロケーション更新を要求する。
【００２９】
404:MMEによって送信されたロケーション更新要求メッセージを受信した後、MSCが、HSSとやり取りをしてUEに対するロケーション更新をCSドメインに対して実施する。
【００３０】
405:MSCが、ロケーション更新受理メッセージをMMEに送信する。
【００３１】
406:ロケーション更新受理メッセージを受信した後、MMEが、複合アタッチ受理メッセージをUEに送信する。複合アタッチ処理が完了する。
【００３２】
前述の複合アタッチ処理によって、MMEは、UEに対してCSFBおよびSRVCCの双方を可能とするMSCを選択することで、選択されたMSCがSRVCCをサポートしていないことにより以降のSRVCC処理が正常に継続できないという問題を回避している。その一方で、CSドメインへのUEのハンドオーバーの処理が正常に実行され得るように、MSCは、CSFBをさらにサポートしている。
【００３３】
ここで図5を参照する。本実施形態において、VOIPサービスを継続中のUEに対してCSドメインのロケーションサービスによって始動される、ステップ302におけるSRVCC処理は、特に以下のステップを含んでいてもよい。
【００３４】
501:UEが、PSドメインにおけるVOIPサービスを実施中である。
【００３５】
502:CSドメインのロケーションサービスがCSドメインモバイル着信ロケーションサービスCS MT-LRを始動させるので、MSCが、ロケーション情報を提供することについての要求である加入者ロケーション提供要求メッセージを受信する。
【００３６】
502a:MSCが、ページング要求メッセージをMMEに送信する。MMEは、ロケーションサービスに起因してページングしていることをUEに通知するためのCSページング通知メッセージをUEに送信し、サービス要求メッセージをMSCに送信する。
【００３７】
502b:UEが、拡張サービス要求メッセージをMMEに送信する。
【００３８】
502c:UEが現在のCS MT-LR要求を拒否しているとMMEが判断すると、MMEは、CSページング拒否メッセージをMSCに送信する。
【００３９】
502d:UEが現在のCS MT-LR要求を受理しているとMMEが判断すると、MMEは、基地局に通知するためのメッセージを送信する。ここで、メッセージはCSFB指示子を含む。
【００４０】
503:メッセージを受信した後、基地局が、応答メッセージをMMEに返し、CSFB指示子に従って2G/3Gネットワークを測定するようにUEに要求する。
【００４１】
504:基地局が判断し、SRVCC処理の実行を始動し、UEを2G/3Gネットワークにハンドオーバーをする。SRVCC処理において、MMEは、前述の複合アタッチ処理中に選択されたMSCと同一のMSCを選択する。MSCがCSFBおよびSRVCCの双方を可能としているので、UEがCSドメインにハンドオーバーされた後にUEが接続されるMSCがステップ502aにおけるMSCであることを保証している。その際、CSロケーションサービスは継続され得る。
【００４２】
505:UEに関するハンドオーバーが完了した後、MSCが、LCS(Location Notification Invoke)メッセージをUEに送信する。
【００４３】
506:ロケーション通知処理呼出メッセージを受信した後、UEが、ロケーションサービスを実施し、そのロケーション情報をMSCに提供する。処理が完了する。
【００４４】
本実施形態による前述の方法において、CSFBおよびSRVCCの双方を可能とするMSCが、MMEによってUEに対して選択され、UEが作動中のVOIPサービスを有しているときにCSドメインのロケーションサービスがUEに対するSRVCC処理を始動させると、CSFBおよびSRVCCの双方を可能とするMSCが、SRVCC処理において選択される。このようにして、SRVCC処理が正常に継続することを可能としている一方でUEがCSFBを可能とするMSCに正しくアクセスできることを保証しており、それによって、MMEが複合アタッチ中に未サポートのMSCを選択するとUEがCSドメインのロケーションサービスを実施できない、という先行技術の問題を解決している。
【００４５】
ここで図6を参照する。回線交換ドメインへのハンドオーバーのための方法が、別の本発明の実施形態において提供される。以下の記載は、CSFBおよびSRVCCの双方を可能とするMSCが複合追跡エリア更新処理中にMMEによって選択されるという一例に基づいている。方法は、特に以下のステップを含む。
【００４６】
601:UEが作動中のVOIPサービスを有している場合、MMEが、複合アタッチ処理中に選択されたMSCをデタッチするようにUEに命令するIMSI(International Mobile Subscriber Identity Number、国際移動体加入者識別番号)デタッチメッセージをUEに送信し、複合TAU(Combined Tracking Area Update、複合追跡エリア更新)処理を実行する。
【００４７】
UEがVOIPサービスを実施する以前に、MMEは、実行済みの複合アタッチ処理によって、既にUEに対するMSCを選択している。特に、MMEは、既存の処理に従ってMSCを選択していてもよい。
【００４８】
本実施形態において、MMEは、UEがVOIPサービスを実施中であるかどうかを検知する。UEがVOIPサービスを実施中であることが検知されると、メッセージは、UEに送信され、UEとMSCとの間の対応関係をリリースするために、複合アタッチ処理中に選択されたMSCをデタッチするようにUEに命令し、UEに対する複合アタッチを再度実行するために、複合追跡エリア更新処理を開始するようにUEに命令する。UEがVOIPサービスを実施中であるかどうかをMMEが検知するための方法は、UEに対して確立されたベアラに従って、ベアラのQCI(QoS Class Identify、QoSクラス識別子)が1に等しいかどうかをMMEが判断するステップを特に含む。QCIが1に等しい場合、MMEは、UEがVOIPサービスを実施中であると判断する。QCIが1に等しくない場合、MMEは、UEがVOIPサービスを実施中ではないと判断する。
【００４９】
602:複合追跡エリア更新処理において、MMEが、UEに対してCSFBおよびSRVCCの双方を可能とする第2のMSCを選択する。
【００５０】
複合追跡エリア更新処理において、MMEは、UEに対する複合アタッチを再度実行する。このようにして、UEが以降の処理において正しくCSドメインにハンドオーバーされ得るように、CSFBおよびSRVCCの双方を可能とするMSCが選択され得る。
【００５１】
603:UEがCSドメインにハンドオーバーされた後に第2のMSCにアクセスしてCSドメインのロケーションサービスを実施することができるように、UEのVOIPサービスが継続中にCSドメインのロケーションサービスがUEに対するSRVCC処理を始動させると、MMEは、SRVCC処理において第2のMSCを選択する。
【００５２】
ここで図7を参照する。本実施形態において、ステップ601における複合追跡エリア更新処理は、特に以下のステップを含んでいてもよい。
【００５３】
701:UEが、複合アタッチ処理を実行し、本処理中に、UEは、MMEにアタッチされるとともにMSCにアタッチされる。
【００５４】
702:UEが、VOIPサービスを実施する。
【００５５】
703:UEがVOIPサービスを実施中であると検知した後、MMEが、IMSIデタッチメッセージをUEに送信して前述のMSCをデタッチするようにUEに命令し、複合追跡エリア更新処理を実行する。
【００５６】
VOIPサービスが実施中である場合、UEは、ベアラセットアップ処理を実行する。ベアラセットアップ処理において、MMEは、受信メッセージ中のQCI(QoS Class Identifier、QoSクラス識別子)に従って判断を下す。QCIの値が1である場合は、UEがVOIPサービスを実施中であることを示している。QCIの値が0である場合は、UEがVOIPサービスを実施中ではないことを示している。
【００５７】
704:IMSIデタッチメッセージを受信した後、UEが、複合TAUメッセージをMMEに送信して複合追跡エリア更新処理を開始する。
【００５８】
705:MMEが、CSFBおよびSRVCCの双方を可能とするMSCを再選択する。
【００５９】
706:MMEが、ロケーション更新要求メッセージを再選択されたMSCに送信してロケーション更新を要求する。
【００６０】
707:MMEによって送信されたロケーション更新要求メッセージを受信した後、MSCが、HSSとやり取りをしてUEに対するロケーション更新をCSドメインに対して実施する。
【００６１】
708:MSCが、ロケーション更新受理メッセージをMMEに送信する。
【００６２】
709:ロケーション更新受理メッセージを受信した後、MMEが、複合追跡エリア更新受理メッセージをUEに送信する。複合追跡エリア更新処理が完了する。
【００６３】
UEが追跡エリア更新処理を実行した後にCSドメインにおいてロケーションサービスに基づいて始動されるSRVCC処理は、図5に図示された処理と同様のものであり、詳細についてはここで再び記載しない。差異は次のとおりである。ステップ504におけるSRVCC処理において、MMEが前述の複合アタッチ処理中に選択されたMSCと同一のMSCを選択するのに対して、本SRVCC処理においては、MMEが前述の複合追跡エリア更新処理中に選択されたMSCと同一のMSCを選択する。前述の処理によって、UEが正しくCSドメインにハンドオーバーされ得ることを保証している。
【００６４】
本実施形態において提供される前述の方法において、CSFBおよびSRVCCの双方を可能とするMSCが、MMEによってUEに対して選択され、UEのVOIPサービスが継続中にCSドメインのロケーションサービスがUEに対するSRVCC処理を始動させると、CSFBおよびSRVCCの双方を可能とするMSCが、SRVCC処理において選択される。このようにして、UEがCSFBを可能とするMSCに正しくアクセスできることを保証しており、それによって、MMEが複合アタッチ中に未サポートのMSCを選択するとUEがCSドメインのロケーションサービスを実施できない、という先行技術の問題を解決している。
【００６５】
図8を参照すれば、回線交換ドメインへのハンドオーバーのための装置であって、
ユーザ機器UEに対して回線交換フォールバックCSFBおよび単一無線音声通信継続SRVCCの双方を可能とする移動通信交換局MSCを選択するように構成される、第1の選択モジュール801と、
UEがCSドメインにハンドオーバーされた後にMSCにアクセスしてCSドメインのロケーションサービスを実施することができるように、UEが作動中のVOIPサービスを有しているときに回線交換CSドメインのロケーションサービスがUEに対するSRVCC処理を始動させると、第1の選択モジュール801に選択されたMSCであってSRVCC処理においてUEに対してCSFBおよびSRVCCの双方を可能とするMSCを選択するように構成される、第2の選択モジュール802とを備える、装置がさらに別の本発明の実施形態において提供される。
【００６６】
ある態様において、第1の選択モジュール801は、UEの複合アタッチ処理中にUEに対してCSFBおよびSRVCCの双方を可能とする第1のMSCを選択するように特に構成されていてもよい。
【００６７】
それに対応して、第2の選択モジュール802は、UEがCSドメインにハンドオーバーされた後に第1のMSCにアクセスしてCSドメインのロケーションサービスを実施することができるように、UEが作動中のVOIPサービスを有しているときにCSドメインのロケーションサービスがUEに対するSRVCC処理を始動させると、第1の選択モジュール801に選択された第1のMSCをSRVCC処理において選択するように特に構成されていてもよい。
【００６８】
別の態様において、第1の選択モジュール801は、UEがVOIPサービスを実施している場合、複合アタッチ処理中に選択されたMSCをデタッチするようにUEに命令するIMSIデタッチメッセージをUEに送信し、複合追跡エリア更新処理を実行するように特に構成されていてもよい。複合追跡エリア更新処理において、第2のCSFBおよびSRVCCの双方を可能とするMSCが、UEに対して選択される。
【００６９】
それに対応して、第2の選択モジュール802は、UEがCSドメインにハンドオーバーされた後に第2のMSCにアクセスしてCSドメインのロケーションサービスを実施することができるように、UEが作動中のVOIPサービスを有しているときにCSドメインのロケーションサービスがUEに対するSRVCC処理を始動させると、SRVCC処理において第1の選択モジュール801に選択された第2のMSCを選択するように特に構成されていてもよい。
【００７０】
本実施形態において提供される前述の装置は、特にMMEであってもよい。
【００７１】
本実施形態において提供される前述の装置は、UEに対してCSFBおよびSRVCCの双方を可能とするMSCを選択するように構成され、UEのVOIPサービスが継続中にCSドメインのロケーションサービスがUEに対するSRVCC処理を始動させると、SRVCC処理においてCSFBおよびSRVCCの双方を可能とするMSCを選択するように構成される。このようにして、SRVCC処理が正常に継続することを可能としている一方でUEがCSFBを可能とするMSCに正しくアクセスできることを保証しており、それによって、MMEが複合アタッチ中に未サポートのMSCを選択するとUEがCSドメインのロケーションサービスを実施できない、という先行技術の問題を解決している。
【００７２】
図9を参照すれば、UE901と回線交換ドメインへのハンドオーバーのための装置902とを備える、回線交換ドメインへのハンドオーバーのためのシステムであって、
UE901は、UEが作動中のVOIPサービスを有しているときに回線交換CSドメインのロケーションサービスがUEに対するSRVCC処理を始動させると、CSドメインにハンドオーバーして装置902に選択されたMSCであってCSFBおよびSRVCCの双方を可能とするMSCにアクセスするように構成され、CSドメインのロケーションサービスを実施するように構成される、システムが別の本発明の実施形態において提供される。
【００７３】
装置902の機能は、前述の実施形態において提供される装置の機能と同一である。
【００７４】
本実施形態において提供されるシステムは、前述の方法の実施形態のいずれか1つにおいて提供される方法を実行するものであってもよい。詳細な処理については、方法の実施形態に記載を参照されたい。詳細についてはここで再び記載しない。
【００７５】
本実施形態において提供される前述のシステムにおいて、装置は、UEに対してCSFBおよびSRVCCの双方を可能とするMSCを選択し、UEのVOIPサービスが継続中にCSドメインのロケーションサービスがUEに対するSRVCC処理を始動させると、SRVCC処理においてCSFBおよびSRVCCの双方を可能とするMSCを選択する。このようにして、SRVCC処理が正常に継続することを可能としている一方でUEがCSFBを可能とするMSCに正しくアクセスできることを保証しており、それによって、MMEが複合アタッチ中に未サポートのMSCを選択するとUEがCSドメインのロケーションサービスを実施できない、という先行技術の問題を解決している。
【００７６】
前述のユーザ機器の実施形態に備わっているユニットは機能ロジックに基づいて分割されるが、対応する機能が実装され得るのであれば、本発明の実施形態が前述の分割に限定されることを意味するわけではないことを留意すべきである。さらに、機能ユニットの各々の固有の名称は、他の各々との区別を簡単にするためのものであり、本発明の実施形態の保護範囲を限定することを意図したものではない。
【００７７】
さらに、当業者は、方法の実施形態のステップの全てまたは一部が対応するハードウェアに命令するプログラムによって実施され得ることを理解されよう。プログラムは、コンピュータ可読記憶媒体に記憶されていてもよい。記憶媒体は、リードオンリーメモリ、磁気ディスク、または光ディスクを備えていてもよい。
【００７８】
前述の記載は、本発明の実施形態の例示的な特定の実施に過ぎず、本発明の実施形態の保護範囲を限定することを意図したものではない。本発明の実施形態に記載される技術的範囲において当業者によって容易に見当がつく如何なる変形または置換も、本発明の実施形態の保護範囲に含まれるものとする。したがって、本発明の実施形態の保護範囲は、特許請求の範囲の保護範囲を前提としている。
【符号の説明】
【００７９】
801  第1の選択モジュール
802  第2の選択モジュール
901  UE
902  回線交換ドメインへのハンドオーバーのための装置
【図１】
0006005275.tif 000002
【図２】
0006005275.tif 000003
【図３】
0006005275.tif 000004
【図４】
0006005275.tif 000005
【図５】
0006005275.tif 000006
【図６】
0006005275.tif 000007
【図７】
0006005275.tif 000008
【図８】
0006005275.tif 000009
【図９】
0006005275.tif 000010